(57)【特許請求の範囲】
【請求項１】
遠隔制御装置から制御命令を受信する遠隔制御信号受信部と、
複数のコンテンツを各々処理して映像フレームを構成する信号処理部と、
前記構成された映像フレームを用いて複数のコンテンツビューを交互に出力するディスプレイ部と、
前記複数のコンテンツビューのうちから選択された一つのコンテンツビュー上に、予め設定されたイベントを前記選択されたコンテンツビューに対して実行するような制御権限の内容を示す画像オブジェクトを表示させるように制御するとともに、前記制御命令に基づいて、前記画像オブジェクトが表示された前記選択されたコンテンツビューのみを制御する、制御部と
を含むことを特徴とするディスプレイ装置。
【請求項２】
複数のコンテンツを受信する受信部を更に含むことを特徴とする請求項１に記載のディスプレイ装置。
【請求項３】
前記制御部は、
前記遠隔制御装置から制御権限要求命令が受信されると、前記複数のコンテンツビューのうちから選択された一つのコンテンツビュー上に前記制御権限を示す画像オブジェクトを表示するように制御することを特徴とする請求項１に記載のディスプレイ装置。
【請求項４】
前記制御部は、
前記遠隔制御装置から予め設定された時間の間に前記制御命令が受信されなければ、前記選択されたコンテンツビューに表示された前記画像オブジェクトが消えるように制御することを特徴とする請求項３に記載のディスプレイ装置。
【請求項５】
前記制御部は、
前記制御権限要求命令が受信される度に、前記画像オブジェクトが表示されるコンテンツビューを順次に変更するように制御することを特徴とする請求項３に記載のディスプレイ装置。
【請求項６】
前記画像オブジェクトは、
前記画像オブジェクトが表示されるコンテンツビューを制御するための制御メニューであることを特徴とする請求項１に記載のディスプレイ装置。
【請求項７】
前記制御部は、
前記遠隔制御信号受信部が複数の遠隔制御装置から各々制御権限要求命令を受信すると、前記複数の遠隔制御装置が制御権限を要求したコンテンツビューの各々に前記画像オブジェクトを表示するように制御することを特徴とする請求項３に記載のディスプレイ装置。
【請求項８】
前記制御部は、
前記制御権限を要求した遠隔制御装置を区別することができるように、各々のコンテンツビューに表示される画像オブジェクトを互いに異なるように表示することを特徴とする請求項７に記載のディスプレイ装置。
【請求項９】
ディスプレイ装置の制御方法であって、
前記装置の遠隔制御信号受信部によって、遠隔制御装置から制御命令を受信するステップと、
前記装置の信号処理部によって、複数のコンテンツを各々処理して映像フレームを構成するステップと、
前記装置のディスプレイ部によって、前記構成された映像フレームを用いて複数のコンテンツビューを交互に出力するステップと、
前記装置の制御部によって、前記複数のコンテンツビューのうちから選択された一つのコンテンツビュー上に、予め設定されたイベントを前記選択されたコンテンツビューに対して実行するような制御権限の内容を示す画像オブジェクトを表示するとともに、前記制御命令に基づいて、前記画像オブジェクトが表示された前記選択されたコンテンツビューのみを制御するステップと
を含むことを特徴とするディスプレイ装置の制御方法。
【請求項１０】
前記画像オブジェクトを表示するステップは、
前記遠隔制御装置から制御権限要求命令が受信されると、前記装置の制御部によって、前記複数のコンテンツビューのうちから選択された一つのコンテンツビュー上に前記制御権限を示す画像オブジェクトを表示することを特徴とする請求項９に記載のディスプレイ装置の制御方法。
【請求項１１】
前記遠隔制御装置から予め設定された時間の間に制御命令が受信されなければ、前記装置の制御部によって、前記選択されたコンテンツビューに表示された前記画像オブジェクトが消えるようにするステップを更に含むことを特徴とする請求項１０に記載のディスプレイ装置の制御方法。
【請求項１２】
前記制御権限要求命令が受信される度に、前記装置の制御部によって、前記画像オブジェクトが表示されるコンテンツビューを順次に変更するステップを更に含むことを特徴とする請求項１０に記載のディスプレイ装置の制御方法。
【請求項１３】
前記画像オブジェクトは、
前記画像オブジェクトが表示されるコンテンツビューを制御するための制御メニューであることを特徴とする請求項９に記載のディスプレイ装置の制御方法。
【請求項１４】
前記画像オブジェクトを表示するステップは、
前記複数の遠隔制御装置から各々制御権限要求命令を受信すると、前記装置の制御部によって、前記複数の遠隔制御装置が制御権限を要求したコンテンツビューの各々に画像オブジェクトを表示することを特徴とする請求項１０に記載のディスプレイ装置の制御方法。
【請求項１５】
前記画像オブジェクトを表示するステップは、
前記制御権限を要求した遠隔制御装置を区別することができるように、前記装置の制御部によって、各々のコンテンツビューに表示される画像オブジェクトを互いに異なるように表示することを特徴とする請求項１４に記載のディスプレイ装置の制御方法。
【請求項１６】
前記制御命令は、チャネル変更命令及び音量制御命令のうちのいずれかであることを特徴とする請求項１に記載のディスプレイ装置。
【発明の詳細な説明】
【技術分野】
【０００１】
本発明は、ディスプレイ装置およびその制御方法に関し、より詳細には、複数のユーザに異なるコンテンツを提供することができるディスプレイ装置およびその制御方法に関する。
【背景技術】
【０００２】
デジタル技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化し、３Ｄコンテンツの提供等、従来にはない新たな機能を備えた製品が登場しつつある。
【０００４】
なお、最近では、複数のコンテンツを同時に提供して複数のユーザが異なるコンテンツを視聴することができるディスプレイ装置に対する開発への取り組みが進められている。複数のユーザがこのような新たな機能が備えられたディスプレイ装置を利用する場合、その操作方法に慣れないため、現在どのような状況か、特定状況でどのような操作をすべきか、戸惑ってしまう問題が発生し得る。
【０００５】
そして、複数のコンテンツを複数のユーザが視聴する環境では、各コンテンツに適用される制御命令および共通で適用される制御命令が存在し得るため、このような項目に対するガイドがない場合、特定ユーザの制御命令によって他のユーザのコンテンツ使用を妨害してしまう状況が発生し得る。
【０００６】
それにより、ディスプレイ装置の状態および作動方法をより容易にかつ直観的に分からせる方策が求められる。
【０００７】
なお、複数のユーザが各々視聴しているコンテンツを一つの遠隔制御装置を用いて制御するための方策への模索が求められる。
【先行技術文献】
【特許文献】
【０００８】
【特許文献１】韓国特開第２０１１−０１０５７７６号公報
【特許文献２】韓国登録第１０−０６６７８２３号
【特許文献３】韓国特開第２０１０−０１０５０６７号公報
【発明の概要】
【発明が解決しようとする課題】
【０００９】
そこで、本発明は、上記問題に鑑みてなされたものであり、本発明の目的とするところは、複数ユーザに異なるコンテンツを提供するディスプレイ装置において、特定状況で必要なオブジェクトをディスプレイするディスプレイ装置およびその制御方法を提供することにある。
【課題を解決するための手段】
【００１０】
以上のような目的を達成するための本発明の一実施形態に係るディスプレイ装置は、複数のコンテンツを各々処理して映像フレームを構成する信号処理部と、前記構成された映像フレームを用いて複数のコンテンツビューを出力するディスプレイ部と、前記複数のコンテンツビューのうちの一つのコンテンツビューに制御権限を示すオブジェクトを表示するように制御する制御部とを含む。
【００１１】
そして、前記ディスプレイ装置は、複数のコンテンツを受信する受信部を更に含んでよい。
【００１２】
そして、遠隔制御装置から制御命令を受信する遠隔制御信号受信部を更に含んでよく、前記制御部は、前記遠隔制御装置から制御権限要求命令が受信されると、前記複数のコンテンツビューのうちの一つに制御権限を示すオブジェクトを表示するように制御してよい。
【００１３】
なお、前記制御部は、前記遠隔制御装置から予め設定された時間の間に制御命令が受信されなければ、前記コンテンツビューに表示されたオブジェクトが消えるように制御してよい。
【００１４】
そして、前記制御部は、前記制御権限要求命令が受信される度に、前記オブジェクトが表示されるコンテンツビューを順次に変更してよい。
【００１５】
そして、前記オブジェクトは、前記オブジェクトが表示されるコンテンツビューを制御するための制御メニューであってよい。
【００１６】
そして、前記制御部は、前記遠隔制御信号受信部が複数の遠隔制御装置から各々制御権限要求命令を受信すると、前記複数の遠隔制御装置が制御権限を要求したコンテンツビューの各々に前記オブジェクトを表示するように制御してよい。
【００１７】
なお、前記制御部は、前記制御権限を要求した遠隔制御装置を区別することができるように、前記コンテンツビューの各々に表示されるオブジェクトを互いに異なるように表示してよい。
【００１８】
一方、本発明の一実施形態に係るディスプレイ装置の制御方法は、複数のコンテンツを各々処理して映像フレームを構成するステップと、前記構成された映像フレームを用いて複数のコンテンツビューを出力するステップと、前記複数のコンテンツビューのうちの一つのコンテンツビューに制御権限を示すオブジェクトを表示するステップとを含む。
【００１９】
そして、前記ディスプレイ装置の制御方法は、複数のコンテンツを受信するステップを更に含んでよい。
【００２０】
ここで、遠隔制御装置から制御命令を受信するステップを更に含んでよく、前記オブジェクトを表示するステップは、前記遠隔制御装置から制御権限要求命令が受信されると、前記複数のコンテンツビューのうちの一つに制御権限を示すオブジェクトを表示してよい。
【００２１】
なお、前記遠隔制御装置から予め設定された時間の間に制御命令が受信されなければ、前記コンテンツビューに表示されたオブジェクトが消えるようにするステップを更に含んでよい。
【００２２】
そして、前記制御権限要求命令が受信される度に、前記オブジェクトが表示されるコンテンツビューを順次に変更するステップを更に含んでよい。
【００２３】
そして、前記オブジェクトは、前記オブジェクトが表示されるコンテンツビューを制御するための制御メニューであってよい。
【００２４】
そして、前記オブジェクトを表示するステップは、前記複数の遠隔制御装置から各々制御権限要求命令を受信すると、前記複数の遠隔制御装置が制御権限を要求したコンテンツビューの各々に前記オブジェクトを表示してよい。
【００２５】
なお、前記オブジェクトを表示するステップは、前記制御権限を要求した遠隔制御装置を区別することができるように、前記コンテンツビューの各々に表示されるオブジェクトを互いに異なるように表示してよい。
【発明の効果】
【００２６】
以上説明したように、本発明によれば、複数のユーザが一つのディスプレイ装置で異なるコンテンツを各々視聴することができ、ディスプレイ装置の状態および作動方法を直感的に知ることができるようになる。
【００２７】
そして、一つの遠隔制御装置を使用して選択的に複数のメガネ装置に対応する一つのディスプレイ装置のコンテンツビューを容易に制御することができるようになる。
【図面の簡単な説明】
【００２８】
【図１】本発明の一実施形態に係るディスプレイシステムを示す図である。
【図２】本発明の一実施形態に係るディスプレイ装置の構成を示すブロック図である。
【図３】本発明の一実施形態に係る信号処理部の具体的な構成を説明するためのブロック図である。
【図４】本発明の別の実施形態に係るディスプレイ装置の構成を示すブロック図である。
【図５】本発明の更に別の実施形態に係るディスプレイ装置の構成を示すブロック図である。
【図６】本発明の一実施形態に係るメガネ装置の構成を示すブロック図である。
【図７】遠隔制御装置から受信される制御命令が他のコンテンツビューに影響を及ぼす状況を説明するための図である。
【図８】本発明の更に別の実施形態に係るディスプレイ装置の構成を示すブロック図である。
【図９】本発明の一実施形態に係るメガネ装置との接続を誘導するメッセージオブジェクトが表示された結果を示す図である。
【図１０】本発明の一実施形態に係るコンテンツとの同期化有無を問い合わせるメッセージオブジェクトが表示された結果を示す図である。
【図１１】本発明の一実施形態に係る制御権限を示すイメージオブジェクトが表示された結果を示す図である。
【図１２】本発明の一実施形態に係るマルチビュー終了事実を通知するメッセージオブジェクトが表示された結果を示す図である。
【図１３】本発明の一実施形態に係る遠隔制御装置を示すブロック図である。
【図１４】本発明の別の実施形態に係るメガネ装置の構成を示すブロック図である。
【図１５】本発明の一実施形態に係るディスプレイ装置の制御方法を示すフローチャートである。
【図１６】本発明の別の実施形態に係るディスプレイ装置の制御方法を示すフローチャートである。
【図１７】本発明の更に別の実施形態に係るディスプレイ装置の制御方法を示すフローチャートである。
【図１８】本発明の更に別の実施形態に係るディスプレイ装置の制御方法を示すフローチャートである。
【図１９】本発明の一実施形態に係る遠隔制御装置の制御方法を説明するためのフローチャートである。偏光映像を視聴することができるシステムの一例を示す図である。
【図２０】本発明の一実施形態に係る偏光レンズを備えたメガネ装置でコンテンツを視聴する状況を示す図である。
【発明を実施するための形態】
【００２９】
以下に添付図面を参照しながら、本発明の好適な実施形態について詳細に説明する。
【００３０】
図１は、本発明の一実施形態に係るディスプレイシステムを示す図である。
【００３１】
図１によると、ディスプレイシステムは、ディスプレイ装置１００と、メガネ装置２００および遠隔制御装置３００を含む。
【００３２】
ディスプレイ装置１００は、複数のコンテンツを受信して複数のコンテンツビューを通じて交互にディスプレイする。そして、複数のコンテンツビューの各々に対応する同期化信号を生成し、生成された同期化信号の何れか一つをメガネ装置２００に伝送する。
【００３３】
メガネ装置２００は、ディスプレイ装置１００から同期化信号を受信し、受信した同期化信号に応じてシャッタグラスをオープンさせる。それにより、メガネ装置２００を着用した視聴者は、複数のコンテンツのうち、メガネ装置と同期化（マッピング）されたコンテンツビューでディスプレイされるコンテンツを視聴することができる。
【００３４】
遠隔制御装置３００は、ディスプレイ装置１００を制御するためのユーザ命令を受けてディスプレイ装置１００に伝送する。なお、遠隔制御装置３００は、複数のメガネ装置２００−１、２００−２のうち、最も近接したメガネ装置を検知して、当該メガネ装置に同期化されたコンテンツビューを制御するための制御命令を伝送する。
【００３５】
ここで、コンテンツビューとは、各コンテンツの映像フレームが交互に配置されてディスプレイされるとき、メガネ装置を着用した視聴者が観ることができる一つのコンテンツに対する映像フレームの集合を意味する。しかし、コンテンツビューは、各々のコンテンツとは違った概念である。例えば、視聴者が特定コンテンツビューと同期化されたメガネ装置を着用してコンテンツＡを視聴する途中、テレビチャネルを変更したり、別のＤＶＤコンテンツ等を再生し、コンテンツＣを視聴する場合、コンテンツはＡからＣに変更されるが、コンテンツビューは変更されない。即ち、コンテンツの上位概念としてコンテンツを視聴することができる一種のチャネルのような概念である。
【００３６】
図１に示すように、ディスプレイ装置１００は、複数のコンテンツビューを通じてコンテンツ１、２を交互にディスプレイする。メガネ装置１（２００−１）はコンテンツビュー１に対応する同期化信号を受信し、コンテンツ１がディスプレイされる時点でシャッタグラスをオープンし、メガネ装置１（２００−１）を着用した視聴者はコンテンツ１を視聴することができる。メガネ装置２（２００−２）はコンテンツビュー２に対応する同期化信号を受信し、コンテンツ２がディスプレイされる時点でシャッタグラスをオープンし、メガネ装置２（２００−２）を着用した視聴者はコンテンツ２を視聴することができる。
【００３７】
一方、図１においては、説明の便宜上、ディスプレイ装置１００は２つのコンテンツをディスプレイし、２つのコンテンツビューに対応する２つのメガネ装置２００−１、２００−２のみがディスプレイ装置１００と接続されたものとして表現したが、ディスプレイ装置１００は３以上のコンテンツビューを通じて３以上のコンテンツをディスプレイすることができ、３以上のメガネ装置がディスプレイ装置１００と接続されて動作できることはいうまでもない。
【００３８】
なお、ディスプレイ装置１００とメガネ装置２００、ディスプレイ装置１００と遠隔制御装置３００は、Ｗｉ−Ｆｉ、ブルートゥース（Ｂｌｕｅｔｏｏｔｈ（登録商標））、ＩＲＤＡ（Ｉｎｆｒａｒｅｄ  Ｄａｔａ  Ａｓｓｏｃｉａｔｉｏｎ）、ＲＦ（Ｒａｄｉｏ  Ｆｒｅｑｕｅｎｃｙ）、ＩＥＥＥ  ８０２.１１、ＷＬＡＮ、ＨＲ  ＷＰＡＮ、ＵＷＢ、ＬＲ  ＷＰＡＮ、ＩＥＥＥ  １３９４等のような多様な無線通信技術で通信することができる。
【００３９】
図２は、本発明の一実施形態に係るディスプレイ装置の構成を示すブロック図である。
【００４０】
図２に示すように、ディスプレイ装置１００は、複数の受信部１１０−１、１１０−２、…、１１０−ｎ、複数の信号処理部１２０−１、１２０−２、…、１２０−ｎ、ディスプレイ部１３０および制御部１４０を含む。このようなディスプレイ装置１００は、テレビや携帯電話、ＰＤＡ、ノートパソコン、モニタ、タブレットパソコン、電子書籍、デジタルフォトフレーム、コンピュータ・キヨスク等のように、ディスプレイユニットを備えた多様な装置であってよい。
【００４１】
複数の受信部１１０−１、１１０−２、…、１１０−ｎは、互いに異なる複数コンテンツを各々受信する。具体的に、各受信部１１０−１、１１０−２、…、１１０−ｎは、放送ネットワークを用いて放送番組コンテンツを伝送する放送局またはインターネットを用いてコンテンツファイルを伝送するウェブサーバからコンテンツを受信する。なお、ディスプレイ装置１００内に設けられたり、ディスプレイ装置１００に接続された各種記録媒体再生装置からコンテンツを受信することもできる。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００４２】
放送局からコンテンツを受信する実施形態に場合には、複数の受信部１１０−１、１１０−２、…、１１０−ｎは、チューナ（図示せず）と、復調器（図示せず）、等化器（図示せず）等のような構成を含む形態で実現可能である。一方、ウェブサーバのようなソースからコンテンツを受信する実施形態の場合には、複数の受信部１１０−１、１１０−２、…、１１０−ｎは、ネットワークインターフェースカード（図示せず）で実現可能である。または、上述の各種記録媒体再生装置からコンテンツを受信する実施形態の場合には、複数の受信部１１０−１、１１０−２、…、１１０−ｎは、記録媒体再生装置と接続されたインターフェース部（図示せず）で実現されてよい。このように、複数の受信部１１０−１、１１０−２、…、１１０−ｎは、実施形態によって多様な形態で実現されてよい。
【００４３】
なお、複数の受信部１１０−１、１１０−２、…、１１０−ｎは、必ずしも同様の類型のソースからコンテンツを受信する必要はなく、複数の受信部１１０−１、１１０−２、…、１１０−ｎは、異なる類型のソースからコンテンツを受信することもできる。例えば、受信部１（１１０−１）は、チューナや、復調器、等化器等を含む形態で実現され、受信部２（１１０−２）は、ネットワークインターフェースカードで実現されてよい。
【００４４】
一方、図２において、ディスプレイ装置１００は複数の受信部を含むものとして説明したが、実施形態によっては、複数の受信部は一つの受信部で実現されてよい。即ち、一つの受信部が複数のコンテンツを受信してよい。
【００４５】
複数の信号処理部１２０−１、１２０−２、…、１２０−ｎは、複数の受信部１１０−１、１１０−２、…、１１０−ｎから受信されたコンテンツの各々を処理して映像フレームを構成することができる。図２を参考して、信号処理部１２０を、より具体的に説明する。
【００４６】
図３は、本発明の一実施形態に係る信号処理部の具体的な構成を説明するためのブロック図である。
【００４７】
図３に示すように、信号処理部１（１２０−１）は、ビデオ処理部１（１２１−１）およびフレームレート変換部１（１２２−１）を含んでよい。図３には、一つの信号処理部１（１２０−１）に対してのみ示しているが、他の信号処理部１２０−２、…、１２０−ｎ）も図３のような構成で実現されてよい。
【００４８】
ビデオ処理部１（１２１−１）は、受信部１（１１０−１）から受信されたコンテンツに含まれたビデオデータに対する信号処理を行う。具体的に、ビデオ処理部１（１２１−１）は、ビデオデータに対するデコードを行うデコーダ（図示せず）、ディスプレイ部１３０の画面サイズに合わせてアップまたはダウンスケーリングを行うスケーラ（図示せず）を含んでよい。
【００４９】
その他に、ビデオ処理部１（１２１−１）は、フレームレート変換部１（１２２−１）に対応するデータフォーマットでビデオデータを変換することもできる。具体的に、入力されたビデオデータがトップトゥボトム（ｔｏｐ−ｔｏ−ｂｏｔｔｏｍ）フォーマットである一方で、フレームレート変換部１（１２２−１）でサイドバイサイド（ｓｉｄｅ−ｂｙ−ｓｉｄｅ）フォーマットでフレームを処理する場合なら、ビデオ処理部１（１２１−１）は、各コンテンツの映像フレームを横方向に並んで接続してサイドバイサイドフォーマットに変換することができる。
【００５０】
フレームレート変換部１（１２２−１）は、ビデオ処理部１（１２１−１）から提供されるコンテンツのフレームレートをディスプレイ装置１００の出力レートに合わせて変換する。例えば、シングルビューモードでディスプレイ装置１００が６０Ｈｚで動作する場合なら、フレームレート変換部１（１２２−１）は、各コンテンツのフレームレートをシングルビューモードにおけるフレームレートと同様に６０Ｈｚに変換することができる。一方、マルチビューモードでディスプレイ装置１００は、コンテンツがｎ個である場合、ｎ×６０Ｈｚの出力レートで動作するようになる。
【００５１】
一方、図２において、ディスプレイ装置１００は複数の信号処理部を含むものとして説明したが、実施形態によって、複数の信号処理部は一つの信号処理部で実現されてよい。即ち、一つの信号処理部が複数のコンテンツを信号処理してよい。
【００５２】
ディスプレイ部１３０は、複数の信号処理部１２０−１、１２０−２、…、１２０−ｎで構成された各コンテンツの映像フレームを交互に配置してディスプレイする。具体的には、ディスプレイ部１３０は、複数の信号処理部１２０−１、１２０−２、…、１２０−ｎから提供される各コンテンツの映像フレームが少なくとも一つずつ交互に配置されるようにマルチプレキシングしてディスプレイする。場合によって、ディスプレイ部１３０は、各コンテンツに対する映像フレームを画面サイズに合わせてアップまたはダウンスケーリングを行うこともできる。
【００５３】
例えば、シャッタグラス方式のディスプレイ装置である場合、ディスプレイ部１３０は、第１コンテンツの映像フレーム、第２コンテンツの映像フレーム、…、第ｎコンテンツの映像フレームが少なくとも一つずつ交互に配置されるように構成してディスプレイする。ユーザは、ディスプレイ部１３０でコンテンツがディスプレイされるタイミングに連動するメガネ装置２００を着用し、自分所望のコンテンツを視聴するようになる。具体的には、メガネ装置２００には、左眼シャッタグラスおよび右眼シャッタグラスが備えられる。左眼シャッタグラスおよび右眼シャッタグラスは、３Ｄコンテンツを視聴する際は、交互にオン／オフされるが、上述のように、各映像フレームが少なくとも一つずつ交互に配置されたフレームを視聴する際は、メガネ装置と同期化されたコンテンツの出力タイミングに応じて一括してオン／オフされる。それにより、ユーザは他ユーザと別個にコンテンツを視聴することができるようになる。
【００５４】
以上のように、各コンテンツの映像フレームを交互に配置してディスプレイするモードをマルチビューモード（または、デュアルビューモード）等と呼んでよい。ディスプレイ装置１００は、２Ｄコンテンツまたは３Ｄコンテンツの何れか一つのみをディスプレイする通常モード（または、シングルビューモード）で動作する場合には、複数の受信部１１０−１、１１０−２、…、１１０−ｎの何れか一つのみを活性化させてコンテンツを処理することができる。通常モードで動作中に、ユーザがマルチビューモードを選択すると、ディスプレイ装置１００は、残りの受信部も活性化させて上述の方式でデータを処理することができる。
【００５５】
一方、上述のコンテンツは、２Ｄコンテンツであってよく、３Ｄコンテンツであってよい。３Ｄコンテンツとは、同様の客体（Ｏｂｊｅｃｔ）を互いに異なる観点から表現した複数の映像を用いてユーザが立体感を感じることができるようにするコンテンツを意味する。
【００５６】
複数の３Ｄコンテンツを利用する場合、ディスプレイ部１３０は、複数のフレームレート変換部１２２−１、１２２−２、…、１２２−ｎから提供される各３Ｄコンテンツに含まれた左眼映像および右眼映像を予め設定された配置形態でマルチプレキシングし、他コンテンツの映像フレームと交互に配置することができる。
【００５７】
それにより、第１コンテンツの左眼映像および右眼映像、第２コンテンツの左眼映像および右眼映像、…、第ｎコンテンツの左眼映像および右眼映像が順次配置されてディスプレイされ、ユーザはメガネ装置２００を介して一つのコンテンツの左眼映像および右眼映像を認識するようになる。
【００５８】
制御部１４０は、ディスプレイ装置１００の動作全般を制御する。具体的に、制御部１４０は、複数の受信部１１０−１、１１０−２、…、１１０−ｎ、複数の信号処理部１２０−１、１２０−２、…、１２０−ｎおよびディスプレイ部１３０各々を制御し、対応する動作を行うようにすることができる。
【００５９】
なお、制御部１４０は、予め定義されたイベントが発生すると、イベントに対応する動作を行うように、複数の信号処理部１２０−１、１２０−２、…、１２０−ｎおよび前記ディスプレイ部１３０を制御してよい。
【００６０】
ここで、予め定義されたイベントは、遠隔制御装置から複数のコンテンツビューの何れか一つのコンテンツビューを制御するための制御命令が受信されるイベント、複数のコンテンツのうち少なくとも一つのコンテンツがメガネ装置２００と同期化されていないイベントと、マルチビューモード開示命令が入力されるイベント、遠隔制御装置３００から制御権限要求命令が入力されるイベントおよびマルチビューモード終了命令が入力されるイベント等であってよい。
【００６１】
予め定義されたイベントによる制御部１４０の具体的な動作については、実施形態別に分けて後述する。
【００６２】
図４は、本発明の別の実施形態に係るディスプレイ装置の構成を示すブロック図である。
【００６３】
図４に示すように、ディスプレイ装置１００は、複数の受信部１１０−１、１１０−２、…、１１０−ｎ、複数の信号処理部１２０−１、１２０−２、…、１２０−ｎ、ディスプレイ部１３０および制御部１４０だけでなく、同期化信号生成部１５０およびインターフェース部１６０を更に含んでよい。ここで、制御部１４０と、同期化信号生成部１５０およびインターフェース部１６０の各々を制御して対応する動作を行うようにすることができる。
【００６４】
同期化信号生成部１５０は、各コンテンツのディスプレイタイミングに応じて、各コンテンツに対応するメガネ装置を同期化させる同期化信号を生成する。即ち、同期化信号生成部１５０は、マルチビューモードで各コンテンツの映像フレームがディスプレイされる時点でメガネ装置のシャッタグラスをオープンさせるための同期化信号を生成する。
【００６５】
インターフェース部１６０は、少なくとも一つのメガネ装置と接続されて通信を行う。この場合、インターフェース部１６０は、多様な無線方式によってメガネ装置と通信を行い、同期化信号をメガネ装置に伝送し、選択命令をメガネ装置から受信することができる。
【００６６】
例えば、インターフェース部１６０は、ブルートゥース通信モジュールを備えてメガネ装置２００と通信を行い、同期化信号をブルートゥース通信規格による伝送ストリームで生成してメガネ装置に伝送してよい。
【００６７】
伝送ストリームは、コンテンツのディスプレイタイミングで同期化されてメガネ装置のシャッタグラスをオン／オフさせるためのオフセット時間情報を含む。具体的に、時間情報は、メガネ装置の左眼シャッタグラスをオンさせるオフセット時間（ｌｅｆｔ  ｓｈｕｔｔｅｒ  ｏｐｅｎ  ｏｆｆｓｅｔ）、左眼シャッタグラスをオフさせるオフセット時間（ｌｅｆｔ  ｓｈｕｔｔｅｒ  ｃｌｏｓｅ  ｏｆｆｓｅｔ）、右眼シャッタグラスをオンさせるオフセット時間（ｒｉｇｈｔ  ｓｈｕｔｔｅｒ  ｏｐｅｎ  ｏｆｆｓｅｔ）、右眼シャッタグラスをオフさせるオフセット時間（ｒｉｇｈｔ  ｓｈｕｔｔｅｒ  ｃｌｏｓｅ  ｏｆｆｓｅｔ）に対する情報を含む。
【００６８】
オフセット時間は、コンテンツ毎に設定された基準時点からシャッタグラスのオンまたはオフ時点までのディレイ（ｄｅｌａｙ）情報である。即ち、メガネ装置は、基準時点からオフセット時間が経過したとき、左眼シャッタグラスおよび右眼シャッタグラスをオン／オフさせる。
【００６９】
例えば、基準時点は映像フレームで垂直同期信号（即ち、フレームシンク）が発生する時点であってよく、基準時点に対する情報は伝送ストリームに含まれてよい。なお、伝送ストリームは、ディスプレイ装置１００で使用されるクロック信号に対する情報を含んでよい。従って、メガネ装置は伝送ストリームを受信すると、ディスプレイ装置１００のクロック信号に自分のクロック信号を同期化し、クロック信号を用いて、垂直同期信号が発生する時点からオフセット時間が経過しているか否かを判断し、シャッタグラスをオン／オフさせてよい。
【００７０】
その他にも、伝送ストリームは、フレームシンクの周期に対する情報、フレームシンクの周期が小数点をもつ場合、小数点情報を表記するための情報等を更に含んでよい。
【００７１】
一方、インターフェース部１６０は、メガネ装置とブルートゥースアドレス（Ｂｌｕｅｔｏｏｔｈ  Ｄｅｖｉｃｅ  Ａｄｄｒｅｓｓ）およびピンコード等を送受信してブルートゥース通信方式によるペアリング（Ｐａｉｒｉｎｇ）を行う。
【００７２】
一実施形態として、インターフェース部１６０は、複数のブルートゥースアドレスを有することができ、一つのブルートゥースアドレスには一つのメガネ装置が接続されてよい。このとき、メガネ装置２００が、インターフェース部１６０に接続された順に、昇順または降順でブルートゥースアドレスが各メガネ装置に付与されてよい。インターフェース部１６０は、メガネ装置２００との接続に使用されたブルートゥースアドレスに対しては、他のメガネ装置が接続されることを防止するために、ブルートゥースアドレス検索対象から除外されるように設定することができる。
【００７３】
ペアリングが完了すると、インターフェース１６０にはメガネ装置に対する情報、例えば、メガネ装置固有の識別情報またはペアリングに使われるブルートゥースアドレス等が登録されてよい。インターフェース部１６０は、各メガネ装置に対する情報を各コンテンツのディスプレイタイミングに対応する伝送ストリームにマッチさせ、ペアリングを通じて獲得した情報に基づいて伝送ストリームを各メガネ装置に伝送する。
【００７４】
メガネ装置は、伝送ストリームが受信されると、自分のメガネ装置情報に対応するか否かを確認し、確認された伝送ストリームに含まれた時間情報に基づいてグラスをオンまたはオフさせてよい。
【００７５】
上述の実施形態においては、インターフェース部１６０とメガネ装置がブルートゥース通信方式により通信を行うものとして説明したが、それは、一例に過ぎない。即ち、ブルートゥース方式以外に赤外線通信、Ｚｉｇｂｅｅ（登録商標）等の通信方式を利用することができ、その他の近距離から通信チャネルを形成して信号を送受信することができる多様な無線通信方式により通信を行うことができることはいうまでもない。
【００７６】
インターフェース部１６０は、一つの通信モジュールで複数のメガネ装置と通信を行うものとして説明したが、実施形態に応じて各メガネ装置と個別的に通信する複数の通信モジュールで実現することもできる。または、ディスプレイ装置１００が複数の無線通信方式をサポートする場合、インターフェース部１６０は、各々の無線通信方式による複数の通信モジュールを含む形態で実現することもできる。例えば、インターフェース部１６０は、ブルートゥース、Ｚｉｇｂｅｅ、Ｗｉ−Ｆｉ等多様な無線通信方式による複数の通信モジュールを含んでよい。
【００７７】
一方、図２では図示を省略しているが、ディスプレイ装置１００は、マルチビューモードで動作する際、各コンテンツに含まれたオーディオデータを各ユーザ別に異なるように提供する構成を更に含む。即ち、各受信部１１０−１、１１０−２、…、１１０−ｎから受信されたコンテンツからビデオデータおよびオーディオデータを分離するためのマルチプレクサ（図示せず）、分離されたオーディオデータをデコードするオーディオデコーダ（図示せず）、デコードされた各オーディオデータを異なる周波数信号に変調する変調部（図示せず）、変調された各オーディオデータをメガネ装置に伝送するオーディオ出力部（図示せず）等を更に含んでよい。オーディオ出力部（図示せず）から出力された各オーディオデータは、メガネ装置に備えられたイヤホンのような出力手段を通じてユーザに提供される。このような構成は、本発明と直接的な関連性がないため、別途の図示は省略する。
【００７８】
一方、場合によって、コンテンツにＥＰＧ（Ｅｌｅｃｔｒｉｃ  Ｐｒｏｇｒａｍ  Ｇｕｉｄｅ）および字幕のような付加情報が含まれた場合、デマルチプレクサ（図示せず）はコンテンツから付加データを更に分離することもできる。そして、ディスプレイ装置１００は、付加データ処理部（図示せず）を介して表示可能に処理された字幕等を、対応する映像フレームに付加することもできる。
【００７９】
図５は、本発明の更に別の実施形態に係るディスプレイ装置の構成を示すブロック図である。
【００８０】
図５に示すように、ディスプレイ装置１００は、複数の受信部１１０−１、１１０−２、…、１１０−ｎ、複数の信号処理部１２０−１、１２０−２、…、１２０−ｎ、ディスプレイ部１３０および制御部１４０だけでなく、遠隔制御信号受信部１７０を更に含んでよい。
【００８１】
遠隔制御信号受信部１７０は、遠隔制御装置３００から制御命令を受信することができる。制御部１４０は、遠隔制御信号受信部１７０から受信された制御命令に従ってディスプレイ装置１００の動作を制御してよい。
【００８２】
図６は、本発明の一実施形態に係るメガネ装置の構成を示すブロック図である。
【００８３】
特に、図６のメガネ装置２００は、複数のコンテンツを映像フレーム単位で交互にディスプレイするディスプレイ装置（図２の１００）と連動し、インターフェース部２１０と、制御部２２０と、シャッタグラス駆動部２３０と、入力部２４０と、第１シャッタグラス部２５０および第２シャッタグラス部２６０を含む。
【００８４】
インターフェース部２１０は、ディスプレイ装置から通信を行う。例えば、インターフェース２１０は、ブルートゥース通信モジュールで実現され、ディスプレイ装置１００と通信を行って同期化信号を受信し、メガネ装置２００に対する情報を伝送することができる。なお、入力部２４０を介して入力されたユーザ命令（または、制御命令）をディスプレイ装置に伝送してよい。
【００８５】
上述のように、同期化信号はブルートゥース通信規格による伝送ストリーム形態で受信されてよく、コンテンツのディスプレイタイミングで同期化されてメガネ装置２００の第１シャッタグラス部２５０および第２シャッタグラス部２６０をオンまたはオフさせるための時間情報を含んでよい。伝送ストリームに含まれた情報については、図４を参照して説明しているため、繰り返し説明は省略する。
【００８６】
制御部２２０は、メガネ装置２００の動作全般を制御する。特に、制御部２２０は、インターフェース部２１０から受信された同期化信号をシャッタグラス駆動部２３０に伝達し、シャッタグラス駆動部２３０の動作を制御する。即ち、制御部２２０は、同期化信号に基づいて、第１シャッタグラス部２５０および第２シャッタグラス部２６０を駆動させるための駆動信号が生成されるようにシャッタグラス駆動部２３０を制御する。
【００８７】
シャッタグラス駆動部２３０は、制御部２２０から受信された同期化信号に基づいて駆動信号を生成する。特に、シャッタグラス駆動部２３０は、同期化信号に基づいて、ディスプレイ装置１００でディスプレイされる複数のコンテンツの何れか一つのコンテンツのディスプレイタイミングに応じて第１シャッタグラス部２５０および第２シャッタグラス部２６０をオープンさせることができる。
【００８８】
第１シャッタグラス部２５０および第２シャッタグラス部２６０は、シャッタグラス駆動部２３０から受信された駆動信号に応じてシャッタグラスをオンまたはオフさせる。具体的に、第１シャッタグラス部２５０および第２シャッタグラス部２６０は、複数のコンテンツの何れか一つのコンテンツがディスプレイされる際、シャッタグラスを同時にオープンし、他のコンテンツがディスプレイされる際、シャッタグラスをすべてオープンさせる。それにより、メガネ装置２００を着用したユーザは一つのコンテンツを視聴することができる。
【００８９】
一方、３Ｄコンテンツの場合、第１シャッタグラス部２５０および第２シャッタグラス部２６０は、各々のグラスを交互に開閉することができる。即ち、駆動信号に応じて一つの３Ｄコンテンツを構成する左眼映像がディスプレイされるタイミングで第１シャッタグラス部２５０を開放し、右眼映像がディスプレイされるタイミングで第２シャッタグラス部２６０を開放してよい。
【００９０】
入力部２４０は、ディスプレイ装置１００を制御するためのユーザ命令を入力される。特に、複数のコンテンツビューのうち、何れか一つのコンテンツビューを選択するための選択命令が入力されてよい。そのために、入力部２４０は、コンテンツビューを選択できるボタン、タッチパッドまたはトグルボタン等を備えてよい。ユーザが入力部２４０に複数のコンテンツビューのうちの何れか一つを選択するための選択命令を入力した場合、インターフェース部２１０は選択されたコンテンツビューに対する情報をディスプレイ装置１００に伝送し、ディスプレイ装置１００から選択されたコンテンツビューに対応する同期化信号を受信することができる。なお、入力部２４０は、複数のコンテンツビューのうち、何れか一つのコンテンツビューを制御するためのユーザ命令または制御命令に同意または反対の応答信号を受信してよい。
【００９１】
以上の内容に基づいて、ディスプレイ装置１００が予め定義されたイベントが発生すると、発生したイベントに対応する動作を行う過程について、実施形態別に具体的に説明する。
【００９２】
＜複数のコンテンツビューの何れか一つのコンテンツビューを制御するための制御命令が受信されるイベントが発生した場合＞
図７は、遠隔制御装置から受信される制御命令が他のコンテンツビューに影響を及ぼす状況を説明するための図である。
【００９３】
複数の視聴者が各々異なるコンテンツビューと同期化されたメガネ装置２００−１、２００−２を着用してコンテンツを視聴している途中、ある一人のユーザが自分が視聴しているコンテンツビューを制御するためにユーザ命令を入力した場合、他のコンテンツビューを通じてコンテンツを視聴するユーザに影響を及ぼしかねない。特に、複数のユーザは専ら自分のコンテンツのみを視聴している状況におかれるため、他のユーザを意識することなく、ディスプレイ装置１００を制御する場合が生じる。例えば、図６に示すように、一つのメガネ装置２００−１を通じて見せられるコンテンツでは、ドラマが放映されているが、他のメガネ装置２００−２を通じて見せられるコンテンツでは上映されていた映画が終了した場合、別のメガネ装置２００−２を着用しているユーザは、無意識的にディスプレイ装置２００−２の電源をターンオフする場合が生じえる。この場合、前者のメガネ装置２００−１を通じて見せられるコンテンツビューにも影響を及ぼすため、制御命令の種類に応じて他のユーザに制御命令の入力事実を報知し、制御動作の同意を求める必要性が出てくる。
【００９４】
ここで、制御部１４０は、複数のコンテンツビューのうちの一つのコンテンツビューを制御するための制御命令が受信されると、制御命令の種類に応じて選択的に制御命令の入力事実を報知するメッセージを他コンテンツビューに表示することができる。上述のように、一つのコンテンツビューを視聴しているメガネ装置２００−１、２００−２からディスプレイ装置１００に制御命令が入力される場合、他のコンテンツビューにも影響を及ぼすことがある。一方、制御命令に従って他のコンテンツビューに影響がない場合もあり、影響があっても無視できる場合もある。従って、制御部１４０は、遠隔制御信号受信部１７０から制御命令が受信される場合、制御命令の種類に応じて異なるコンテンツビューを通じて報知したり（Ｎｏｔｉｃｅ）、そうする必要がない場合は、制御動作を行うように制御する。
【００９５】
制御命令は実行可能動作と実行制限動作とに区分される。それは、他コンテンツビューに対する影響の有無によるものである。他コンテンツビューに影響がない場合は、如何なる場合でも実行可能な動作と定義する。一方、他コンテンツビューに影響がある場合は、他のユーザの同意有無やその他の状況に応じて、実行可否が異なってくるため、実行制限動作に定義する。
【００９６】
実行可能動作は、上述のように、他コンテンツビューに影響がない場合の制御命令のことをいう。実行可能動作に対する制御命令は、上記選択されたコンテンツビューのコンテンツを変更するためのコンテンツ変更命令と、前記コンテンツのオーディオ信号音量を調整するための音量調整命令と、前記選択されたコンテンツビュー上にＯＳＤメニューを表示するためのＯＳＤメニュー表示命令および前記選択されたコンテンツビューに表示される映像フレームの画質を調整するための画質調整命令等を例として挙げることができる。
【００９７】
音量調整動作を例に挙げると、一つのメガネ装置から音量調節信号が入力されると、当該メガネ装置の音量を制御しても、他のコンテンツビューに影響がないため、実行可能な動作に該当する。ただ、ディスプレイ装置１００の出力音量（マスタ音量）を調節する制御命令は、他のコンテンツビューに影響を及ぼしかねないため、実行制限動作である。別の例として、コンテンツ変更動作があるが、上述のように、一つのコンテンツビューを通じて複数の種類のコンテンツを視聴することができるため、一つのコンテンツビュー内でコンテンツを変更することは、他のコンテンツビューに影響を及ぼさない。
【００９８】
実行制限動作は、上述のように、他コンテンツビューに影響がある場合の制御命令のことをいう。例えば、ディスプレイ装置の電源オン／オフ制御動作および出力特性調整動作があった。即ち、上述のように、一つのコンテンツビューを視聴しているユーザは、無意識的にディスプレイ装置１００の電源をターンオフする場合が生じ得る。この場合、他のコンテンツビューも、それ以上視聴が不可となるため、それは実行制限動作に該当する。その他にも、出力特性を調整する動作を例に挙げることができる。それは、主にディスプレイ装置１００の依存性（ｄｅｐｅｎｄｅｎｃｙ）がある制御命令のことをいう。例えば、画面の輝度を調整したり、受信方式を変える場合が該当される。
【００９９】
図８は、本発明の更に別の実施形態に係るディスプレイ装置の構成を示すブロック図である。
【０１００】
図８によると、ディスプレイ装置１００は、実行可能動作と実行制限動作とを区別しなければならないため、実行可能動作と実行制限動作とに区分された制御動作情報が保存された保存部１８０を更に含んでよい。
【０１０１】
制御部１４０は、遠隔制御信号受信部１７０から制御命令が受信されると、受信された制御命令と、保存部１８０に保存された制御動作情報とを比較し、受信された制御命令が実行可能動作か、または、実行制限動作であるかを判断することができる。
【０１０２】
制御部１４０は、制御命令が上述の実行可能動作に対する制御命令である場合、コンテンツビューに対して制御命令に対応する制御動作を行う。即ち、上述の実施形態において、コンテンツビューの音量を調節する制御命令である場合、他のコンテンツビューに通知せずに音量調節信号を送出する。一方、制御命令が実行制限動作に対する制御命令である場合、制御命令の入力事実を報知するメッセージを他のコンテンツビューに表示するように、信号処理部１２０およびディスプレイ部１３０を制御する。即ち、信号処理部１２０は、制御命令に関するメッセージを映像データに変換して他コンテンツビューの映像フレームに混合し、ディスプレイ部１３０は、他コンテンツビューに混合された映像フレームを出力する。例えば、一つのコンテンツビューを通じて電源オフの制御信号が入力された場合、他コンテンツビューに“１番のチャネルのユーザが電源をオフにしようとしています。”というメッセージを表示することができる。
【０１０３】
このとき、他コンテンツビューを視聴するユーザは、ディスプレイ装置１００に制御命令に同意したり反対する応答信号を送信することができる。一実施形態として、メガネ装置２００は、ユーザから入力部２４０を介して制御命令に同意したり反対する信号を受信して同意するか否かの信号をインターフェース部２１０を介してディスプレイ装置１００に伝送することができる。なお、遠隔制御装置３００を介してこのような信号を伝送したり、ディスプレイ装置１００に位置する入力部（図示せず）を介してこのような信号を直接入力することもできる。メガネ装置の入力部を介して信号を入力される例においては、制御部１４０は他コンテンツビューにマッチする他メガネ装置から制御命令に同意する応答信号が受信されると、制御命令に対応する制御動作を実行し、制御命令に反対する応答信号が受信されると、制御命令に対応する制御動作を実行しない。即ち、ディスプレイ装置１００の電源をオフにする例で、制御部１４０は他コンテンツビューに“１番のチャネルのユーザが電源をオフにしようとしています。同意しますか？”というメッセージを表示し、他コンテンツビューにマッチする他メガネ装置のインターフェース部２１０から電源ターンオフに同意する応答信号が受信されると、ディスプレイ装置１００に電源をターンオフさせる。
【０１０４】
一方、一定時間が経ってもディスプレイ装置１００に何の応答信号が受信されていない場合がある。この場合、制御命令の入力があるコンテンツビューに優先権を与えて制御命令に対応する制御動作を行うようにすることができる。即ち、メッセージが出力された時点から予め設定された時間の間、他コンテンツビューにマッチする他メガネ装置から制御命令に対する応答信号が受信されなければ、制御部１４０は制御命令に対応する制御動作を実行することができる。しかし、それと違って、他コンテンツビューに及ぼす影響を考慮して、他コンテンツビューに優先権を与えて反対する応答信号が受信されたと見なしてよい。この場合には、制御命令に対応する何の制御動作も行われない。なお、制御命令別に差をつけて何の応答信号が受信されない場合、他コンテンツビューに及ぼす影響が大きい場合は、反対する応答信号が受信されると見なし、及ぼす影響が小さい場合は、同意する応答信号が受信されたと見なして、制御命令に対応する制御動作を行う方法もあってよい。
【０１０５】
それにより、複数のコンテンツビューのうちの一つのコンテンツビューに入力された制御命令が他コンテンツビィーに影響を及ぼす度合いに応じて、制御動作の実行方法を異なるようにすることができる。特に、他コンテンツビューに及ぼす影響が大きい場合は他コンテンツビューを通じて報知し、実行の同意を求めることにより、より安定したマルチビューディスプレイを可能とする。
【０１０６】
＜複数のコンテンツビューの少なくとも何れか一つのコンテンツビューがメガネ装置と同期化されていないイベントが発生した場合＞
制御部１４０は、メガネ装置とマッピングされていないコンテンツが存在すると判断されると、メガネ装置２００とマッピングされていないコンテンツビューにメガネ装置との接続を誘導するメッセージオブジェクトを付加してディスプレイするように制御する。図９を参照してそれに対して具体的に説明する。
【０１０７】
図９は、本発明の一実施形態に係るメガネ装置との接続を誘導するメッセージオブジェクトが表示された結果を示す図である。
【０１０８】
複数のメガネ装置２００−１、２００−２は、各々の固有の識別情報を用いてディスプレイ装置１００と通信し、メガネ装置２００−１、２００−２がディスプレイ装置１００とペアリングされると、メガネ装置２００−１、２００−２固有の識別情報がディスプレイ装置１００に伝送される。別の実施形態として、メガネ装置２００−１、２００−２との接続に使用されたインターフェース部１６０のブルートゥースアドレスがメガネ装置を識別するための情報として使用されてよい。ディスプレイ装置１００の通信インターフェース部１６０は、メガネ装置２００−１、２００−２から受信した識別情報またはブルートゥースアドレスによって複数のコンテンツビューの各々に対応する同期化信号のうちのいずれか一つをメガネ装置２００−１、２００−２に伝送し、このような過程で各々のコンテンツビューとメガネ装置とのマッピング情報を生成したり保存することができる。
【０１０９】
ここで、ディスプレイ装置１００のインターフェース部１６０は、制御部１４０の制御に従って複数のコンテンツの各々が、どのメガネ装置とマッピングされているかを示すマッピング情報を確認し、複数のコンテンツのうち、メガネ装置２００−１、２００−２とマッピングされていないコンテンツが存在するか否かを判断することができる。
【０１１０】
そして、メガネ装置２００−１、２００−２と同期化されていないコンテンツが存在する場合、複数の信号処理部１２０−１、１２０−２、…、１２０−ｎのうちのメガネ装置２００と同期化されていないコンテンツを処理する信号処理部は、当該コンテンツの映像フレームにメガネ装置２００との接続を誘導するメッセージオブジェクトを付加し、ディスプレイ部は、メッセージオブジェクトの付加された映像フレームを他のコンテンツの映像フレームと交互にディスプレイしてよい。
【０１１１】
なお、制御部１４０は、新たなメガネ装置が接続されると、新たなメガネ装置をメガネ装置と同期化されていないコンテンツビューと自動的に同期化されるように制御することができ、メガネ装置の接続を誘導するメッセージオブジェクトによって当該コンテンツビューが少なくとも一つのメガネ装置とマッピングされた場合、当該コンテンツビューに表示されたメッセージオブジェクトが消えるように制御してよい。
【０１１２】
図９によると、ディスプレイ装置１００は、コンテンツ２をディスプレイしており、メガネ装置２００−１、２００−２の各々は、コンテンツビュー１およびコンテンツビュー３と同期化されてコンテンツ２がディスプレイされるタイミングでメガネ装置２００−１、２００−２のシャッタグラスはすべて閉じられている。コンテンツビュー２と同期化されたメガネが存在しないため、ディスプレイ装置１００はコンテンツビュー２とメガネ装置との接続を誘導するメッセージオブジェクトである“メガネを接続してください。”を付加して表示することができる。
【０１１３】
一方、メガネ装置を着用してコンテンツ１および３を視聴する視聴者は、コンテンツ２に表示されたメッセージオブジェクトを見ることができないが、メガネ装置を着用せずにディスプレイ画面を視聴する視聴者は、複数のコンテンツの映像が重なったディスプレイ画面を見ることができ、コンテンツ２に付加されたメッセージオブジェクトを他のコンテンツ映像と重なった状態で見ることができる。それにより、メガネ装置を着用せずに、ディスプレイ画面を視聴する視聴者は現在ディスプレイされるコンテンツビューのうちの一部がメガネ装置と同期化されずにディスプレイされていることが分かる。
【０１１４】
ここで、新たなメガネ装置がディスプレイ装置１００と接続されると、新たなメガネ装置は既存のメガネ装置２００−１、２００−２とマッピングされていないコンテンツビュー２と自動的にマッピングされてよい。
【０１１５】
一方、メガネ装置との接続を誘導するメッセージオブジェクトは、図９示す図だけでなく、当該コンテンツがメガネとマッピングされていないことが分かる如何なるオブジェクトであっても可能である。例えば、“メガネが接続されていません。”のように未だマッピングされていない状態であることを報知するメッセージ、または、メガネを接続する具体的な方法を提供するメッセージなどであってよい。
【０１１６】
それにより、マルチビューモードでコンテンツを視聴している視聴者を妨害することなく、現在特定コンテンツにメガネ装置が接続されていないという事実を直観的に知ることができ、メガネ装置が接続されていないコンテンツをより便利に新たなメガネ装置とマッピングすることができる。
【０１１７】
＜マルチビューモード開始命令が入力されるイベントが発生した場合＞
予め定義されたイベントがマルチビューモード開始命令が入力されるイベントである場合、制御部１４０は、マルチビューモード開始命令が入力されると、複数のコンテンツビューの各々の映像フレームに当該コンテンツビューとの同期化有無を問い合わせるメッセージオブジェクトを表示し、各コンテンツがメガネ装置に順次マッピングされるように制御することができる。図１０を参照してそれに対して具体的に説明する。
【０１１８】
図１０は、本発明の一実施形態に係るコンテンツとの同期化有無を問い合わせるメッセージオブジェクトが表示された結果を示す図である。
【０１１９】
ユーザからマルチビュー開始命令が入力されると、ディスプレイ装置１００はマルチビューモードを開始して複数のコンテンツを交互にディスプレイする。ここで、複数の信号処理部は、複数のコンテンツの各々の映像フレームに当該コンテンツとのマッピング有無を問い合わせるメッセージオブジェクトを付加し、ディスプレイ部はオブジェクトが付加された各々の映像フレームを交互にディスプレイすることができる。
【０１２０】
そして、インターフェース部１６０は、ディスプレイ装置１００と接続されているメガネ装置２００−３、２００−４、２００−５に各コンテンツビューを順次マッピングさせる。ここで、ある一つのコンテンツビューを予め設定された時間の間マッピングし、予め設定された時間が経過すると、他のコンテンツビューをマッピングされるようにすることができる。なお、複数のメガネ装置２００−３、２００−４、２００−５がディスプレイ装置１００と接続されている場合にも同様に行われてよい。
【０１２１】
一方、インターフェース部１６０は、少なくとも一つのメガネ装置からメッセージに対する応答が受信されると、前記応答が受信された時点でディスプレイされるコンテンツビューと前記応答を伝送したメガネ装置をマッピングさせてよい。メッセージに対する応答とは、メガネ装置２００−３、２００−４、２００−５の入力部または遠隔制御装置を通じて入力されたコンテンツ選択命令のことを意味する。
【０１２２】
図１０を参照すると、（ａ）でディスプレイ装置１００は、コンテンツ１、２および３を交互にディスプレイし、現在のコンテンツビュー１の映像フレームをディスプレイしている。各コンテンツの映像フレームには、“この画面を視聴したい場合には、ボタンを押してください。”というメッセージオブジェクトが付加されている。一方、複数のメガネ装置２００−３、２００−４、２００−５は、全コンテンツビュー１とマッピングされている。このとき、左側のメガネ装置２００−３の入力部２４０−３を介して現在マッピングされているコンテンツ１を選択するための選択命令が入力されると、左側のメガネ装置２００−３はディスプレイ装置１００に選択命令を伝送し、ディスプレイ装置１００の通信インターフェース部は、予め設定された時間間隔が経過するとしても、左側のメガネ装置２００−３はコンテンツ１と引き続きマッピングされるようにすることができる。
【０１２３】
図１０の（ｂ）は、（ａ）で予め設定された時間が経過してメガネ装置２００がコンテンツビュー２とマッピングされている状態を示す。しかし、左側のメガネ装置２００−３は、（ａ）でディスプレイ装置１００に選択命令を伝送してコンテンツビュー１と継続的にマッピングされるため、左側のメガネ装置２００−３を着用した視聴者はコンテンツビュー１を継続的に視聴することができる。一方、予め設定された時間の間、マッピングされたコンテンツビュー１の映像フレームには、それ以上マッピング有無を問い合わせるメッセージオブジェクトが付加されない。従って、コンテンツ１を選択した視聴者は予め設定された時間が経過すると、オブジェクトによる妨害を受けることなく、コンテンツ１を視聴することができるようになる。
【０１２４】
なお、図１０の（ｂ）で、コンテンツ２とマッピングされているメガネ装置２００−４の入力部２４０−４を介してユーザから選択命令が入力されると、メガネ装置２００−４はディスプレイ装置１００に選択命令を伝送し、ディスプレイ装置１００の通信インターフェース部は、メガネ装置２００−４をコンテンツ２と引き続きマッピングされるようにすることができる。
【０１２５】
それにより、ユーザはマルチビューモードが開始されたという事実および特定コンテンツを視聴するために選択命令を入力することができるという事実を直観的に知ることができる。
【０１２６】
一方、当該コンテンツとのマッピング有無を問い合わせるメッセージオブジェクトは、図９示す図だけでなく、当該コンテンツとのマッピングを誘導することができる如何なるオブジェクトでも可能である。一方、ユーザがコンテンツを選択するための選択命令を入力するために残っている時間が分かるように、残っている時間を表示するタイマーを当該コンテンツの映像フレームに付加してディスプレイすることができるようにすることもできる。
【０１２７】
＜遠隔制御装置から制御権限要求命令が入力されるイベントが発生した場合＞
予め設定されたイベントが遠隔制御装置から制御権限要求命令が入力されるイベントの場合、制御部１４０は制御権限要求命令が入力されると、複数のコンテンツのうちの一つのコンテンツの映像フレームに制御権限を示すイメージオブジェクトを付加してディスプレイするように制御することができる。図１１を参照して、それに対して具体的に説明する。
【０１２８】
図１１は、本発明の一実施形態に係る制御権限を示すイメージオブジェクトが表示された結果を示す図である。
【０１２９】
遠隔制御装置３００から制御権限要求命令が入力されると、制御部１４０は、ディスプレイ装置１００の複数のコンテンツビューのうちの一つのコンテンツビューに制御権限を示すオブジェクトを付加して新語う処理部１２０を制御することができる。即ち、遠隔制御装置３００から制御権限要求命令が入力されると、現在制御権限があるコンテンツビューにディスプレイされるコンテンツを処理する映像処理部１２１−１は、当該コンテンツの映像フレームに制御権限を示すイメージオブジェクトを付加してよい。
【０１３０】
なお、制御部１４０は、制御権限要求命令が入力される度に、イメージオブジェクトがディスプレイされるコンテンツビューを順次変更するように制御してよい。即ち、いずれか一つのコンテンツビューの映像フレームにオブジェクトが付加されてディスプレイされる状態で、遠隔制御装置３００から制御権限要求命令が再入力されると、他のコンテンツビューの映像フレームに制御権限を示すオブジェクトが付加されて表示され、制御権限要求命令が入力される度に、オブジェクトがディスプレイされるコンテンツビューが順次変更されてよい。それにより、視聴者は、現在制御権限があるコンテンツビューを容易かつ直観的に確認することができるようになる。
【０１３１】
なお、制御部１４０は、遠隔制御装置３００から特定のコンテンツビューに対する制御権限要求命令を受信する場合（例えば、遠隔制御装置３００がコンテンツビュー別に制御権限要求のためのボタンまたはトグルを備えた場合）、制御権限要求命令が受信されたコンテンツビューに制御権限を示すオブジェクトが表示されるように制御してよい。
【０１３２】
一方、制御権限要求命令とは、複数のコンテンツビューのうちの何れか一つのコンテンツビューを通じてコンテンツを視聴している視聴者が、当該コンテンツビューの制御のために入力するユーザ命令のことを意味する。このような制御権限要求命令は、遠隔制御装置３００の特定ボタンを押したりタッチすることにより、入力されることもでき、チャネル変更または音量変更ボタン等、ディスプレイ装置の制御のための命令が入力された場合にも、制御権限要求命令で認識されてよい。
【０１３３】
図１１を参照すると、（ａ）でユーザ遠隔制御装置３００から制御権限要求が入力され、コンテンツ２の映像フレームに制御権限を示す星模様のイメージオブジェクトが付加されてディスプレイされる。コンテンツ２とマッピングされたメガネ装置２００−６を着用した視聴者は、コンテンツ２を視聴しているため、ディスプレイ装置１００に表示された制御権限を示すイメージオブジェクトを確認することができ、メガネ装置２００−６を着用した視聴者は遠隔制御装置３００を介してコンテンツ２を制御することができる。ここで、コンテンツ２を制御するとは、コンテンツ２に対応する音量を調節したり、または、コンテンツ２に対するディスプレイ環境を設定したり、または、コンテンツ２が放送番組である場合、別のチャネルに変更して別のコンテンツを視聴すること等を意味する。
【０１３４】
一方、コンテンツビュー３とマッピングされたメガネ装置２００−７を着用した視聴者は、イメージオブジェクトを見ることができず、コンテンツ３を制御することもできない。
【０１３５】
ここで、ユーザが制御権限要求命令を再入力されると、コンテンツ３の映像フレームに制御権限を示す星模様のイメージオブジェクトが付加されてディスプレイされる。図１１の（ｂ）で、ディスプレイ装置１００はイメージオブジェクトが付加されたコンテンツ３をディスプレイしており、メガネ装置２００−７を着用した視聴者はコンテンツ３に付加されたイメージオブジェクトを見ることができる。コンテンツ２を視聴する視聴者は、それ以上イメージオブジェクトを見ることができず、コンテンツビュー２を制御することもできない。
【０１３６】
制御権限要求命令が再入力されると、コンテンツ１の映像フレームに星模様のイメージオブジェクトが付加されて表示され、制御権限要求命令が入力される度に、順次変更されてよい。
【０１３７】
一方、制御権限を示すイメージオブジェクトは、星模様のイメージオブジェクトだけでなく、視聴者が認識することができる如何なるイメージであっても可能である。なお、制御権限を示すオブジェクトは、イメージオブジェクトにのみ限定されず、“制御”等のように制御権限を示すことができるメッセージオブジェクトまたはコンテンツビューを制御するための制御メニューそのもの等、多様なオブジェクトであってよい。なお、予め設定された時間の間、制御権限要求命令が再入力されなければ、予め設定された時間の経過後にイメージオブジェクトが消えるようにすることもできる。
【０１３８】
なお、制御権限要求命令は、遠隔制御装置３００だけでなく、メガネ装置２００の入力部２４０を介して入力されてよく、この場合、制御権限要求命令が入力されたメガネ装置２００とマッピングされたコンテンツビューに制御権限を示すイメージオブジェクトが付加されてディスプレイされてよい。
【０１３９】
一方、ディスプレイ装置１００が複数の遠隔制御装置から各々制御権限要求命令を受信する場合、制御部１４０は、複数の遠隔制御装置が制御権限を要求したコンテンツビューの各々に制御権限を示すオブジェクトを表示するように制御してよい。例えば、複数のユーザが各々コンテンツビュー１およびコンテンツビュー２を視聴している途中、ユーザの各々が視聴するコンテンツビューを制御するために、複数の遠隔制御装置に各々制御権限要求命令を入力した場合、ディスプレイ装置１００はコンテンツビュー１およびコンテンツビュー２のいずれにも制御権限を示すオブジェクトを表示してよい。
【０１４０】
ただ、複数のユーザが同時に制御権限要求命令を入力した場合（特に、遠隔制御装置３００がコンテンツビュー別に制御権限要求命令を受信するためのボタンまたはトグル等の入力部を備えていない場合）、ディスプレイ装置１００はコンテンツビュー１およびコンテンツビュー２に同時に制御権限を示すオブジェクトを表示することができ、各々のユーザは自分が使用する遠隔制御装置３００が現在自分が視聴するコンテンツビューに対する制御権限を有しているか、把握できない場合が生じえる。
【０１４１】
それにより、ディスプレイ装置１００は、制御権限を要求した遠隔制御装置を区別することができるように、コンテンツビューの各々に表示されるオブジェクトを互いに異なるように表示することができる。例えば、コンテンツビューの各々に表示されるオブジェクトに制御権限を要求した遠隔制御装置に応じて異なる色で表示したり、“リモコン１”、“リモコン２”のようなオブジェクトを更に表示することができる。
【０１４２】
一方、上述のユーザの混同を避けるために、各コンテンツビューを制御する専用の遠隔制御装置３００を備えたり、各々の遠隔制御装置がコンテンツビュー別に制御権限要求命令を受信するためのボタンまたはトグル等の入力部を備えてよい。
【０１４３】
＜マルチビュー終了命令が入力されるイベントが発生した場合＞
予め設定されたイベントがマルチビュー終了命令が入力されるイベントの場合、制御部は、マルチビュー終了命令が入力されると、複数の全コンテンツの映像フレームにマルチビュー終了事実を通知するメッセージオブジェクトを付加してディスプレイするように制御してよい。図１２を参照して、それについて具体的に説明する。
【０１４４】
図１２は、本発明の一実施形態に係るマルチビュー終了事実を通知するメッセージオブジェクトが表示された結果を示す図である。
【０１４５】
遠隔制御装置３００を介してマルチビュー終了命令が入力されると、ディスプレイ装置１００は複数の全コンテンツの映像フレームにマルチビューモードの終了を報知するメッセージオブジェクトを付加してディスプレイし、マルチビューモードを終了することができる。
【０１４６】
図１２を参照すると、遠隔制御装置３００を介してマルチビュー終了命令が入力されると、ディスプレイ装置１００はディスプレイされる全コンテンツ（コンテンツ１、２および３）の映像フレームに“マルチビューモードを終了します。”のようなマルチビュー終了事実を通知するメッセージオブジェクトを付加してディスプレイする。それにより、視聴者はマルチビューモードが終了するという事実を直観的に知ることができる。
【０１４７】
一方、マルチビュー終了命令は、遠隔制御装置３００だけでなく、メガネ装置２００の入力部２４０を介して入力されてよい。
【０１４８】
マルチビューモードが終了すると、マルチビューモードが開始する前にディスプレイされていたコンテンツのみディスプレイされ、他のコンテンツはそれ以上ディスプレイされない。または、マルチビューモードが終了する前に、制御権限をもつコンテンツのみディスプレイされ、他のコンテンツはディスプレイされないように設定されてもよい。
【０１４９】
一方、上述の実施形態に係るオブジェクトはメッセージオブジェクトおよびイメージオブジェクトであるとして説明したが、オブジェクトの種類はそれに限定されずに、アイコンや、ロゴ、テキストラベルおよび記号等、予め定義されたイベントに対応して多様な形態のオブジェクトで表現されてよい。
【０１５０】
なお、信号処理部で映像フレームにオブジェクトを付加する過程は、具体的に、映像処理部のビデオ処理部で行われてよく、フレームレート変換部でフレームレートが変換された映像フレームにオブジェクトを付加して行われてよい。なお、字幕等を処理する付加データ処理部でこのような過程を行うこともできる。即ち、コンテンツが映像フレームで構成された後、ディスプレイ部に出力される前であれば、如何なるステップでもオブジェクトを付加する過程を行うことができる。
【０１５１】
図１３は、本発明の一実施形態に係る遠隔制御装置を示すブロック図である。
【０１５２】
図１３によると、遠隔制御装置３００は、検知部３１０と、入力部３２０と、制御部３３０およびインターフェース部３４０を含む。
【０１５３】
検知部３１０は、複数のコンテンツビューに各々対応する複数のメガネ装置２００から発せられる信号を受信し、遠隔制御装置３００に最も近接したメガネ装置を検知し、検知信号を遠隔制御装置３００の制御部３３０に伝送する。
【０１５４】
具体的に、検知部３１０は、複数のメガネ装置２００と遠隔制御装置３００との間の距離を各々検出し、検出された距離を比較して複数のメガネ装置２００のうち、最も近接したメガネ装置を検知することができる。
【０１５５】
この場合、検知部３１０が各メガネ装置２００を検知する方式は、ＲＦＩＤ方式またはマグネチックセンサ等、遠隔制御装置３００と各メガネ装置２００との間の近距離の距離センシングが可能なセンシング方式を適用してよい。
【０１５６】
検知部３１０が、上述の検知方式のうち、ＲＦＩＤ方式で作動する場合、検知部３１０は複数のメガネ装置２００から各々受信されるＲＦ信号の受信強度を比較し、最大の受信強度をもつＲＦ信号を伝送したメガネ装置を近接したメガネ装置として検知してよい。
【０１５７】
そのために、メガネ装置２００は、信号出力部２７０を更に含んでよい（図１４を参照）。図１４は、本発明の別の実施形態に係るメガネ装置の構成を示すブロック図である。メガネ装置２００の信号出力部２７０は、遠隔制御装置３００の距離センシング方式により対応するＲＦＩＤタグやその他の構成からなってよい。具体的には、遠隔制御装置３００がＲＦＩＤ方式で各メガネ装置の距離をセンシングする場合、信号出力部２７０は、ＲＦＩＤタグでなされてよい。
【０１５８】
一方、遠隔制御装置３００の入力部３２０には、ユーザ命令が入力される。入力部３２０は、例えば、チャネルやオーディオ音量等を変換するためのキーパッド、タッチパッド、ジョグシャトル、ジョグスティック等、少なくとも何れか一つまたはそれらの組み合わせの多様な入力インターフェースで構成されてよい。
【０１５９】
制御部３３０は、入力部３２０を介してユーザ選択命令が入力されると、各メガネ装置２００のうち、検知された近接したメガネ装置に対応するコンテンツビューをユーザ選択命令に従って制御するための制御信号を生成する。
【０１６０】
制御信号は、近接したメガネ装置の固有情報であるメガネ装置ＩＤまたは近接したメガネ装置に対応するコンテンツビュー情報と、ディスプレイ装置１００のコンテンツビューを制御するための制御命令のうち、少なくとも一つを含んでよい。
【０１６１】
そのために、遠隔制御装置３００は、メガネ装置からメガネ装置に対応するコンテンツビューに対する情報を受信することができる。一実施形態として、各メガネ装置は距離をセンシングするために出力する信号にコンテンツビューに対する情報を含んでよく、制御部３３０は最も近接したメガネ装置のコンテンツビューに対する情報を用いて制御信号を生成することができる。別の実施形態として、制御部３３０は近接したメガネ装置が決定されると、近接したメガネ装置にコンテンツビューに対する情報を要求して受信することもできる。一方、メガネ装置２００および遠隔制御装置３００は、距離センシングのための信号出力部２７０および検知部３１０を介してコンテンツビューに対する情報を送受信することもできるが、コンテンツビューに対する情報を送受信するための別途のインターフェース部（図示せず）を含む形態で実現されてよい。
【０１６２】
制御命令は、遠隔制御装置３００と近接したメガネ装置に対応するコンテンツビューのコンテンツを変更するためのコンテンツ変更命令と、コンテンツのオーディオ信号音量を調整するための音量調整命令と、コンテンツビュー上にＯＳＤ（Ｏｎ−Ｓｃｒｅｅｎ  Ｄｉｓｐｌａｙ）メニューを表示するためのＯＳＤメニュー表示命令およびコンテンツビューに表示される映像フレームの画質を調整するための画質調整命令のうち、少なくとも何れか一つを含んでよい。
【０１６３】
インターフェース部３４０は、制御部３３０から発生する制御信号をディスプレイ装置１００の遠隔制御信号受信部１７０に伝送する。このとき、インターフェース部３４０と遠隔制御信号受信部１７０との間の通信はブルートゥース方式、赤外線通信、Ｚｉｇｂｅｅ等の通信方式を用いてよく、その他の近距離で通信チャネルを形成して信号を送受信することができる多様な無線通信方式によって通信を行ってよい。
【０１６４】
このような実施形態によると、ユーザは複数のコンテンツビューのうちの一つのコンテンツビューを選択的に制御するために繰り返しユーザ命令を入力しなくても、遠隔制御装置の位置を変更することにより、最も近接したメガネ装置とマッピングされたコンテンツビューを選択的に制御することができるようになる。本実施形態でも、無論、現在制御可能なコンテンツビューにメッセージまたはイメージオブジェクトを付加して表示することができる。
【０１６５】
図１５は、本発明の一実施形態に係るディスプレイ装置の制御方法を示すフローチャートである。ディスプレイ装置に関連する説明と重なる箇所は省略し、全体的なフローを中心として説明する。
【０１６６】
まず、複数のコンテンツを受信する（Ｓ１５１０）。具体的に、異なる複数のコンテンツを各々受信する。その後、映像フレームを構成する（Ｓ１５２０）。具体的に、受信されたコンテンツを各々処理して映像フレームを構成する。そして、映像フレームを交互にディスプレイする（Ｓ１５３０）。即ち、複数のコンテンツビューを構成して各コンテンツビューに対応するコンテンツの映像フレームを交互にディスプレイする。
【０１６７】
ここで、予め定義されたイベントが発生すると（Ｓ１５４０−Ｙ）、発生したイベントに対応する動作を行う（Ｓ１５５０）。予め定義されたイベントは、遠隔制御装置から複数のコンテンツビューのうちの一つのコンテンツビューを制御するための制御命令が受信されるイベント、複数のコンテンツのうちの少なくとも一つのコンテンツがメガネ装置２００と同期化されていないイベントと、マルチビューモード開始命令が入力されるイベント、遠隔制御装置３００から制御権限要求命令が入力されるイベントおよびマルチビューモード終了命令が入力されるイベント等であってよい。
【０１６８】
遠隔制御装置から複数のコンテンツビューのうちの一つのコンテンツビューを制御するための制御命令が受信されるイベントが発生した場合について、図１６ないし図１７を参照しながら説明する。
【０１６９】
図１６は、本発明の別の実施形態に係るディスプレイ装置の制御方法を示すフローチャートであり、図１７は、本発明の更に別の実施形態に係るディスプレイ装置の制御方法を示すフローチャートである。
【０１７０】
ディスプレイ装置１００の受信部１１０は、複数のコンテンツを受信し（Ｓ１６１０、Ｓ１７０５）、信号処理部１２０は、複数のコンテンツを各々処理して映像フレームを構成する（Ｓ１６２０、Ｓ１７１０）。ディスプレイ部１３０は、各コンテンツの映像フレームを組み合わせて複数のコンテンツビューを出力し（Ｓ１６３０、Ｓ１７１５）、同期化信号生成部１５０は、複数のコンテンツビューおよび複数のメガネ装置２００を同期化させるための同期化信号を生成する（Ｓ１６４０、Ｓ１７２０）。すると、インターフェース部１６０は、同期化信号を複数のメガネ装置に伝送する（Ｓ１６５０、Ｓ１７２５）。このように、複数のコンテンツビューが出力される状況で、何れか一つのコンテンツビューに対する制御命令が入力されると（Ｓ１６６０−Ｙ、Ｓ１７３０−Ｙ）、実行可能な動作であるか判断し、実行可能動作である場合（Ｓ１７３５−Ｙ）、制御命令に対応する動作を実行し（Ｓ１７３７）、実行制限動作である場合（Ｓ１７３５−Ｎ）、制御命令の入力事実を報知するメッセージを他コンテンツビューに表示する（Ｓ１７４０）。仮に、他コンテンツビューにマッチするメガネ装置から実行制限動作に対する同意信号を受信する場合（Ｓ１７４５−Ｙ）、または同意信号が受信されなかったが、一定時間が経過する間、何の信号も受信されていない場合（Ｓ１７５５−Ｙ）、実行可能動作の場合と同様に、制御命令に対応する動作を行う（Ｓ１７３７）。例えば、反対信号が受信されると（Ｓ１７５０−Ｙ）、制御命令に対応する動作を行わない。
【０１７１】
一方、図１５において、予め定義されたイベントが複数のコンテンツビューのうち、少なくとも一つのコンテンツがメガネ装置とマッピングされていないイベントである場合、複数のコンテンツビューのうち、メガネ装置とマッピングされていないコンテンツビューが存在すると、メガネ装置とマッピングされていない少なくとも一つのコンテンツビューの映像フレームにメガネ装置との接続を誘導するメッセージオブジェクトを付加してディスプレイする。
【０１７２】
なお、予め定義されたイベントがマルチビューモード開始命令が入力されるイベントである場合、上記マルチビューモード開始命令が入力されると、前記複数のコンテンツ各々の映像フレームに当該コンテンツとのマッピング有無を問い合わせるメッセージオブジェクトを付加してディスプレイし、各コンテンツをメガネ装置に順次マッピングさせる。そして、少なくとも一つのメガネ装置または遠隔制御装置から上記メッセージに対する応答が受信されると、上記応答が受信された時点でディスプレイされるコンテンツと上記応答を伝送したメガネ装置とをマッピングさせてよい。
【０１７３】
そして、予め定義されたイベントが遠隔制御装置から制御権限要求命令が入力されるイベントの場合、制御権限要求命令が入力されると、複数のコンテンツのうちの一つのコンテンツの映像フレームに制御権限を示すイメージオブジェクトを付加してディスプレイする。なお、制御権限要求命令が入力される度に、イメージオブジェクトがディスプレイされるコンテンツが順次変更されてよい。
【０１７４】
予め定義されたイベントがマルチビュー終了命令が入力されるイベントの場合、マルチビュー終了命令が入力されると、複数の全コンテンツの映像フレームにマルチビュー終了事実を通知するメッセージオブジェクトを付加してディスプレイする。
【０１７５】
図１８は、本発明の更に別の実施形態に係るディスプレイ装置の制御方法を示すフローチャートである。特に、図１８は、遠隔制御装置から制御権限要求命令が入力されるイベントが発生した場合、ディスプレイ装置の制御方法を説明するためのフローチャートである。
【０１７６】
まず、複数のコンテンツを受信する（Ｓ１８１０）。その後、映像フレームを構成する（Ｓ１８２０）。具体的に、受信されたコンテンツを各々処理して映像フレームを構成する。そして、映像フレームを組み合わせて複数のコンテンツビューを出力する（Ｓ１８３０）。
【０１７７】
そして、複数のコンテンツのうちの一つのコンテンツビューに制御権限を示すオブジェクトを表示する（Ｓ１８４０）。なお、制御権限要求命令が入力される度にイメージオブジェクトがディスプレイされるコンテンツが順次変更されてよい。
【０１７８】
ここで、オブジェクトを表示するステップは、遠隔制御装置から制御命令を受信すると、複数のコンテンツビューのうちの一つに制御権限を示すオブジェクトを表示することができる。なお、遠隔制御装置から予め設定された時間の間に制御命令が受信されなければ、コンテンツビューに表示されたオブジェクトが消えるステップを更に含んでよい。そして、制御権限要求命令が受信される度に、オブジェクトが表示されるコンテンツビューを順次変更するステップを更に含んでよい。コンテンツビューに表示されるオブジェクトは、オブジェクトが表示されるコンテンツビューを制御するための制御メニューであってよい。
【０１７９】
一方、複数の遠隔制御装置から各々制御権限要求命令を受信すると、複数の遠隔制御装置が制御権限を要求したコンテンツビューの各々にオブジェクトを表示することができる。そして、制御権限を要求した遠隔制御装置を区別できるようにコンテンツビューの各々に表示されるオブジェクトを互いに異なるように表示することができる。
【０１８０】
図１９は、本発明の一実施形態に係る遠隔制御装置の制御方法を説明するためのフローチャートである。
【０１８１】
図１９によると、遠隔制御装置３００は、複数のメガネ装置２００から持続的に発生される信号を検知部３１０を介して受信し（Ｓ１９１０）、受信された信号を分析して、遠隔制御装置３００と各メガネ装置２００との間の距離を計算する（Ｓ１９２０）。
【０１８２】
制御部３３０は、検知部３１０から計算された値を受信して遠隔制御装置３００に最も近接しているメガネ装置を選択する（Ｓ１９３０）。入力部３２０を介してユーザ命令が入力されると（Ｓ１９４０）、制御部３３０はインターフェース部３４０を介して制御命令を生成してディスプレイ装置１００に伝送する（Ｓ１９５０）。
【０１８３】
ディスプレイ装置１００は、遠隔制御信号受信部１７０を介して制御命令を受信し、ディスプレイ装置１００の制御部１４０は、受信された制御命令を分析して選択されたメガネ装置と同期化されたコンテンツビューを制御する（Ｓ１９６０）。
【０１８４】
このように、本発明においては、各メガネ装置２００を着用した状態で、ディスプレイ装置１００を通じて同時に各々自分が選択したコンテンツビューを視聴するユーザが自分のコンテンツビューに対する制御を行うとき、事前にモード設定等の別途の操作の必要がなく、単に遠隔制御装置３００を他人が着用したメガネ装置より自分が着用したメガネ装置の近くに持って行き、自分が望む制御命令を入力する行動のみで自分が視聴するコンテンツビューのコンテンツおよびオーディオを手軽に制御することができる。
【０１８５】
一方、上述の本発明の多様な実施形態に係る方法を行うためのプログラムは、多様な類型の記録媒体に保存されて使用されてよい。
【０１８６】
具体的には、上述の方法を行うためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１８７】
図２０を参照して、本発明の別の実施形態で偏光方式について説明する。
【０１８８】
図２０は、本発明の一実施形態に係る偏光レンズを備えたメガネ装置でコンテンツを視聴する状況を示す図である。
【０１８９】
本明細書においては、コンテンツの映像フレームを交互に出力してシャッタグラスを用いて視聴するシステムに着目して説明してきたが、このような記載は本発明の理解を促すためのものであるだけであって、本発明が偏光方式のシステムの実施を除いたり、弱化させるものではないことを明らかにする。
【０１９０】
上述のディスプレイ装置１００は、偏光部材１９０を更に含んでよい。偏光部材１９０は、映像を偏光させるために、液晶層（図示せず）を備えてよい。ディスプレイ装置１００は、異なるレベルの駆動電圧を用いて、液晶層を水平ラインまたは垂直ライン別に制御し、ディスプレイ装置１００から放出されるコンテンツの映像を特定の方向に偏光させる。このとき、偏光されたコンテンツの映像は交互に配置されて出力されてよい。例えば、一つのコンテンツに対して水平方向に偏光させて出力し、続いて他のコンテンツに対して垂直方向に偏光させて出力することができ、このような過程を繰り返す。水平偏光レンズを有するメガネ装置２００−１１と垂直偏光レンズを有するメガネ装置２００−１２を通じて各々の映像、即ち、コンテンツビューを視聴することができる。別の実施形態として、一つの映像フレームの異なる領域に異なるコンテンツの映像情報を含んでよい。この場合、各領域を異なる方向に偏光させて出力することができ、各々の偏光方向と一致するレンズを有するメガネ装置を通じて異なるコンテンツビューを視聴することができる。
【０１９１】
このとき、ディスプレイ装置１００を視聴するのに使われるメガネ装置２００−１１、２００−１２は、視聴しようとするコンテンツの偏光方向と一致する偏光レンズを備えてよい。それを通じて、各メガネ装置は偏光された映像のみを通過させるようになるため、ユーザは所望のコンテンツビューのみを視聴することができるようになる。各メガネ装置２００−１１、２００−１２は、ディスプレイ装置１００と別途の同期化作業を必要としないため、経済性が高く、同期化過程から生じるフリッカー現象が少ないというメリットがある。図２０は、水平方向と垂直方向とに偏光されたコンテンツに関する映像フレームが交互にディスプレイされる場合、各々に合った偏光レンズを備えたメガネ装置２００−１１、２００−１２にコンテンツビューを視聴する様子を示している。
【０１９２】
上述のコンテンツビューに対する制御命令の処理が偏光方式のディスプレイ装置およびメガネ装置を通じて実現される場合、コンテンツビューに対する制御命令は、偏光されたコンテンツの映像フレームに出力される。例えば、実行制限動作に対する制御命令である場合、制御命令の入力事実を報知するメッセージは他コンテンツの映像フレームと同様に偏光されて他コンテンツビューの映像とともに表示される。すると、他コンテンツビューとマッチするメガネ装置を着用したユーザは、制御命令に同意または反対する応答を入力することができ、それにより、ディスプレイ装置が制御される。
【０１９３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１９４】
１１０−１  受信部１
１１０−２  受信部２
１１０−ｎ  受信部ｎ
１２０−１  信号処理部１
１２０−２  信号処理部２
１２０−ｎ  信号処理部ｎ
１２１−１  ビデオ処理部１
１２２−１  フレームレート変換部１
１３０  ディスプレイ部
１４０  制御部
１５０  同期化信号生成部
１６０  インターフェース部
１７０  遠隔制御信号受信部
１８０  保存部
２１０  インターフェース部
２２０  制御部
２３０  シャッタグラス駆動部
２４０  入力部
２５０  第１シャッタグラス部
２６０  第２シャッタグラス部
２７０  信号出力部
３１０  検知部
３２０  入力部
３３０  制御部
３４０  インターフェース部
【図１】
0005674756.tif 000002
【図２】
0005674756.tif 000003
【図３】
0005674756.tif 000004
【図４】
0005674756.tif 000005
【図５】
0005674756.tif 000006
【図６】
0005674756.tif 000007
【図７】
0005674756.tif 000008
【図８】
0005674756.tif 000009
【図９】
0005674756.tif 000010
【図１０】
0005674756.tif 000011
【図１１】
0005674756.tif 000012
【図１２】
0005674756.tif 000013
【図１３】
0005674756.tif 000014
【図１４】
0005674756.tif 000015
【図１５】
0005674756.tif 000016
【図１６】
0005674756.tif 000017
【図１７】
0005674756.tif 000018
【図１８】
0005674756.tif 000019
【図１９】
0005674756.tif 000020
【図２０】
0005674756.tif 000021